(57)【要約】      （修正有）【課題】洗濯物の処理の終了後における不便を解消できる洗濯機を提供する。【解決手段】洗濯機１００は、外箱と、外箱内に設けられ、洗濯物を処理する洗濯物処理部６０と、洗濯物の処理を指示するための操作部５０と、操作部への操作に応じた表示を行う表示部５０と、通信アダプタ２０と、制御装置１０とを備える。制御装置１０は、洗濯物の処理が終了した後、通信ネットワークＮからの情報を通信アダプタ２０にダウンロードするためのネットワーク設定が有効になっているか否かを判定するネットワーク設定判定部１０ａと、ネットワーク設定が有効になっていると判定された場合、通信アダプタ２０の電源をオンにする通信アダプタ電源管理部１０ｂとを有する。【選択図】図１
2019010538.tif 000002
【特許請求の範囲】
【請求項１】
外箱と、
上記外箱内に設けられ、洗濯物を処理する洗濯物処理部と、
上記洗濯物の処理を指示するための操作部と、
上記操作部への操作に応じた表示を行う表示部と、
通信アダプタと、
制御装置と
を備え、
上記制御装置は、
上記洗濯物の処理が終了した後、通信ネットワークからの情報を上記通信アダプタにダウンロードするためのネットワーク設定が有効になっているか否かを判定するネットワーク設定判定部と、
上記ネットワーク設定が有効になっていると判定された場合、上記通信アダプタの電源をオンにする通信アダプタ電源管理部と
を有することを特徴とする洗濯機。
【請求項２】
請求項１に記載の洗濯機において、
上記制御装置は、上記ネットワーク設定が有効になっていると判定された後、上記制御装置および表示部を待機状態にして、上記表示部の特定表示以外の表示を消す待機処理部を有することを特徴とする洗濯機。
【請求項３】
請求項２に記載の洗濯機において、
上記制御装置は、
上記表示部が待機状態になった後、上記操作部に特定操作が行われたか否かを判定する特定操作判定部と、
上記特定操作が行われたと判定された場合、上記制御装置および表示部を通常状態に復帰させて、上記表示部が上記特定表示以外の表示を行う復帰処理部と
を有することを特徴とする洗濯機。
【請求項４】
請求項１から３までのいずれか一項に記載の洗濯機において、
上記制御装置は、上記ネットワーク設定が有効になっていると判定された場合、上記制御装置をソフトウェアリセットする制御装置用リセット部を有することを特徴とする洗濯機。
【請求項５】
請求項１から４までのいずれか一項に記載の洗濯機において、
上記制御装置は、上記ネットワーク設定が有効になっていると判定された場合、上記通信アダプタをハードウェアリセットする通信アダプタ用リセット部を有することを特徴とする洗濯機。
【発明の詳細な説明】
【技術分野】
【０００１】
この発明は洗濯機に関する。
【背景技術】
【０００２】
従来、洗濯機としては、端末装置からの情報を受信する受信部と、制御部とを備えたものがある(例えば特許文献１(特開２０１４−５４２７９号公報)参照)。この受信部が上記情報を受信すると、上記制御部は上記情報に基づいて洗濯物の処理を制御する。
【先行技術文献】
【特許文献】
【０００３】
【特許文献１】特開２０１４−５４２７９号公報
【発明の概要】
【発明が解決しようとする課題】
【０００４】
しかしながら、上記従来の洗濯機では、洗濯物の処理が終了すると、電源が自動的にオフされるため、受信部は端末装置からの情報を受信できなくなる。
【０００５】
したがって、上記従来の洗濯機には、洗濯物の処理の終了後、端末装置から受信部に情報を送りたいときは、電源を入れ直さなければならず、不便だという問題がある。
【０００６】
そこで、この発明の課題は、洗濯物の処理の終了後における不便を解消できる洗濯機を提供することにある。
【課題を解決するための手段】
【０００７】
上記課題を解決するため、この発明の洗濯機は、
外箱と、
上記外箱内に設けられ、洗濯物を処理する洗濯物処理部と、
上記洗濯物の処理を指示するための操作部と、
上記操作部への操作に応じた表示を行う表示部と、
通信アダプタと、
制御装置と
を備え、
上記制御装置は、
上記洗濯物の処理が終了した後、通信ネットワークからの情報を上記通信アダプタにダウンロードするためのネットワーク設定が有効になっているか否かを判定するネットワーク設定判定部と、
上記ネットワーク設定が有効になっていると判定された場合、上記通信アダプタの電源をオンにする通信アダプタ電源管理部と
を有することを特徴としている。
【０００８】
ここで、上記「通信アダプタの電源をオンにする」とは、通信アダプタの電源のオンを継続すること、または、通信アダプタの電源をオフからオンに切り替えることを意味する。
【０００９】
一実施形態の洗濯機では、
上記制御装置は、上記ネットワーク設定が有効になっていると判定された後、上記制御装置および表示部を待機状態にして、上記表示部の特定表示以外の表示を消す待機処理部
を有する。
【００１０】
ここで、上記制御装置および表示部を待機状態するとは、上記制御装置および表示部の所定回路だけに電源を供給することを意味する。
【００１１】
一実施形態の洗濯機では、
上記表示部が待機状態になった後、上記操作部に特定操作が行われたか否かを判定する特定操作判定部と、
上記特定操作が行われたと判定された場合、上記制御装置および表示部を通常状態に復帰させて、上記表示部が上記特定表示以外の表示を行う復帰処理部と
を有する。
【００１２】
ここで、上記制御装置および表示部を通常状態に復帰させるとは、待機状態時に電源が供給されていないかった所定回路に対して電源の供給を再開することを意味する。
【００１３】
一実施形態の洗濯機では、
上記制御装置は、上記ネットワーク設定が有効になっていると判定された場合、上記制御装置をソフトウェアリセットする制御装置用リセット部を有する。
【００１４】
一実施形態の洗濯機では、
上記制御装置は、上記ネットワーク設定が有効になっていると判定された場合、上記通信アダプタをハードウェアリセットする通信アダプタ用リセット部を有する。
【００１５】
一実施形態の洗濯機では、
上記通信アダプタは上記外箱に直接的または間接的に着脱可能である。
【００１６】
一実施形態の洗濯機は、
上記通信ネットワークからの上記情報に基づいて、音声を出力する音声出力部を備える。
【発明の効果】
【００１７】
この発明の洗濯機は、上記ネットワーク設定判定部および通信アダプタ電源オン状態維持部により、洗濯物の処理の終了後における不便を解消できる。
【図面の簡単な説明】
【００１８】
【図１】この発明の第１実施形態のドラム式洗濯乾燥機を備える洗濯システムの概略構成図である。
【図２】上記ドラム式洗濯乾燥機の概略斜視図である。
【図３】上記ドラム式洗濯乾燥機の模式上面図である。
【図４】上記ドラム式洗濯乾燥機の電源オフ時の操作表示部の外観図である。
【図５】上記ドラム式洗濯乾燥機の通常状態の操作表示部の外観図である。
【図６】上記ドラム式洗濯乾燥機の待機状態の操作表示部の外観図である。
【図７】上記ドラム式洗濯乾燥機の通信アダプタの常時電源オン処理を説明するためのフローチャートである。
【図８】図７に続くフローチャートである。
【図９】図８に続くフローチャートである。
【図１０】この発明の第２実施形態のドラム式洗濯乾燥機を備える洗濯システムの概略構成図である。
【図１１】この発明の第３実施形態のドラム式洗濯乾燥機を備える洗濯システムの概略構成図である。
【発明を実施するための形態】
【００１９】
以下、この発明の洗濯機を図示の実施の形態により詳細に説明する。
【００２０】
〔第１実施形態〕
図１はこの発明の第１実施形態のドラム式洗濯乾燥機１００を備える洗濯システムの概略構成図を示している。
【００２１】
上記洗濯システムは、図１に示すように、一般的に屋内に設置されたドラム式洗濯乾燥機１００の他に、無線アクセスポイント２００と、ドラム式洗濯乾燥機１００と通信する屋外の管理サーバ３００と、この管理サーバ３００と通信する携帯通信端末の一例としてのスマートフォン(smartphone：多機能携帯電話)４００とを備える。
【００２２】
上記ドラム式洗濯乾燥機１００は、制御装置１０と、オプションの通信アダプタ２０と、音声信号切換部３０と、音声出力部の一例としてのスピーカ４０と、操作部および表示部の一例としての操作表示部５０と、洗濯物を処理する洗濯物処理部の一例としての洗濯乾燥部６０とを備える。ここで、洗濯乾燥部６０は、水槽２(図２に示す)を有すると共に、図示しないが、周知の洗濯兼脱水槽、モータ、給水弁、排水弁、ヒートポンプユニット、乾燥フィルタ、排水フィルタなどを有する。この洗濯乾燥部６０による洗濯物を処理するための運転(以下「洗濯物処理運転」という)としては、洗濯運転、脱水運転、乾燥運転などのように、洗濯物の汚れや臭いを除去したり、洗濯物を乾かしたりするための運転などがある。
【００２３】
上記制御装置１０は、第１制御部１１と、この第１制御部１１により制御される第１音声信号出力部１２と、プログラムや音声データなどを記憶するメモリ１３とを有する。このメモリ１３は、記憶した情報を書き換え可能な不揮発性メモリであり、ドラム式洗濯乾燥機１００の電源を切っても、記憶した情報が消えない。
【００２４】
また、上記制御装置１０は、ネットワーク設定判定部１０ａ、通信アダプタ電源管理部１０ｂ、待機処理部１０ｃ、特定操作判定部１０ｄおよび復帰処理部１０ｅも有する。このネットワーク設定判定部１０ａ、通信アダプタ電源管理部１０ｂ、待機処理部１０ｃ、特定操作判定部１０ｄおよび復帰処理部１０ｅは、それぞれ、ソフトウェアで構成されている。
【００２５】
上記ネットワーク設定判定部１０ａは、洗濯乾燥部６０による洗濯物の洗濯、脱水、乾燥などが終了した後、無線アクセスポイント２００を介して通信ネットワークの一例としてのインターネット網Ｎに通信接続されているか否かを判定する。すなわち、ネットワーク設定判定部１０ａは、インターネット網Ｎからの情報を通信アダプタ２０にダウンロードするためのネットワーク設定が有効になっているか否かを判定する。
【００２６】
上記通信アダプタ電源管理部１０ｂは、上記ネットワーク設定が有効になっていると判定された場合、通信アダプタ２０の電源をオンにする。これにより、洗濯乾燥部６０による洗濯物の洗濯、脱水、乾燥などが終了した後であっても、通信アダプタ２０は上記情報をダウンロードできるようになる。
【００２７】
上記待機処理部１０ｃは、上記ネットワーク設定が有効になっていると判定された後、制御装置１０および操作表示部５０を待機状態にする。これにより、ドラム式洗濯乾燥機１００は、ユーザが操作表示部５０を操作して所望の洗濯物処理運転を設定するための設定状態でもなく、上記洗濯物処理運転を行われている運転状態でもなくなる。別の言い方をすれば、ドラム式洗濯乾燥機１００は、通信アダプタ２０を使った情報のアップロード
およびダウンロードのためだけに、所定回路だけに電源が供給されている待機状態となる。
【００２８】
上記特定操作判定部１０ｄは、制御装置１０および操作表示部５０が待機状態になった後、スタート一時停止キー５７３が押されたか否かを判定する。なお、スタート一時停止キー５７３を押す操作は特定操作の一例である。
【００２９】
上記復帰処理部１０ｅは、スタート一時停止キー５７３が押下されたと判定された場合、制御装置１０および操作表示部５０を通常状態に復帰させる。これにより、ドラム式洗濯乾燥機１００は、ユーザが操作表示部５０を操作して所望の洗濯物処理運転を設定するための設定状態となる。
【００３０】
また、上記制御装置１０は、通信アダプタ２０と、音声信号切換部３０と、操作表示部５０と、洗濯乾燥部６０などを制御する。この制御装置１０は、マイクロコンピュータと入出力回路などからなり、通信アダプタ２０との間で情報を送受信する。
【００３１】
上記通信アダプタ２０は、第２制御部２１と、この第２制御部２１により制御される第２音声信号出力部２２と、無線アクセスポイント２００と通信を行う通信部２３と、プログラムや音声データなどを記憶するメモリ２４とを有する。このメモリ２４は、記憶した情報を書き換え可能な不揮発性メモリであり、ドラム式洗濯乾燥機１００の電源を切っても、記憶した情報が消えない。
【００３２】
上記制御装置１０の第１制御部１１と通信アダプタ２０の第２制御部２１とは、互いに通信を行う。例えば、第２制御部２１が第１制御部１１に発話要求信号を送信したり、第１制御部１１が第２制御部２１に発話許可信号を送信したりする。ここで、上記発話要求信号とは、メモリ２４内の音声データに対応する音声をスピーカ４０に出力させることを要求するための信号である。一方、上記発話許可信号とは、第１制御部１１が発話要求信号の受信に応じて第２制御部２１に送信する信号であり、メモリ２４内の音声データに対応する音声をスピーカ４０に出力させることを許可するための信号である。また、上記発話許可信号は、メモリ１３内の音声データに対応する音声をスピーカ４０に出力させないときに、第２制御部２１に送信される。
【００３３】
上記通信アダプタ２０は、無線アクセスポイント２００に無線で通信接続され、無線アクセスポイント２００およびインターネット網Ｎを介して管理サーバ３００と通信を行う。より詳しくは、通信アダプタ２０は、例えばＷｉ-Ｆｉ(ワイファイ：ブランド名)の通
信規格を用い、管理サーバ３００に情報を送信したり、管理サーバ３００から情報を受信したりする。このとき、管理サーバ３００と無線アクセスポイント２００との間の通信は、電気通信網や光通信網を用いたインターネット網Ｎを介して行われる。
【００３４】
上記音声信号切換部３０は、第１制御部１１の制御で信号を切り換えて、第１音声信号出力部１２からの第１音声信号、または、第２音声信号出力部２２からの第２音声信号を出力する。
【００３５】
上記スピーカ４０は、例えば、洗濯物を処理するための運転が開始するとき、予め定められたメロディ音やメッセージを出力する。また、スピーカ４０は、通信アダプタ２０と管理サーバ３００との間の通信に関するエラー情報を音声で報知する。
【００３６】
上記操作表示部５０は、洗濯物を処理するための運転の予約時刻を表示したり、洗濯物を処理するための運転中に運転残り時間を表示したりする時間表示部５２１(図４〜図６
に示す)を有している。
【００３７】
上記管理サーバ３００は、インターネット網Ｎを介して他のサーバ(図示せず)から、天気予報、花粉予報、ＰＭ２．５(微小粒子状物質)予報、黄砂予報などの情報を、取得して保存すると共に、この保存した情報を所定時間間隔で更新する。この情報はインターネット網Ｎなどを介して通信アダプタ２０にダウンロードされることにより、上記情報に対応する音声をスピーカ４０が出力できるようになっている。
【００３８】
また、上記管理サーバ３００は、ドラム式洗濯乾燥機１００からの情報を受信して保存したり、スマートフォン４００からの情報を受信して保存したりする。ここで、上記ドラム式洗濯乾燥機１００からの情報としては、洗濯物の処理に関する情報(例えば、処理時
間、使用水量、電気量などの処理情報)や、メンテナンスに関する情報(例えば、乾燥フィルタ、排水フィルタなどのメンテナンス情報)がある。また、スマートフォン４００から
の情報としては、洗濯運転、脱水運転、乾燥運転などについてユーザが設定した情報がある。
【００３９】
上記スマートフォン４００は、管理サーバ３００に情報を送信したり、管理サーバ３００から情報を受信したりする。すなわち、スマートフォン４００は、携帯通信網およびインターネット網Ｎを介して管理サーバ３００との通信を行う。
【００４０】
例えば、上記洗濯物を処理するための運転が行われているか否かを示す運転情報が、ドラム式洗濯乾燥機１００からの情報として管理サーバ３００に保存されている場合、スマートフォン４００は、管理サーバ３００に通信接続することにより、管理サーバ３００から運転情報を取得して、この運転情報をユーザに伝えることができるようになっている。
【００４１】
一方、例えば、上記洗濯物の処理に関する設定情報が、スマートフォン４００からの情報として管理サーバ３００に保存されている場合、ドラム式洗濯乾燥機１００は、管理サーバ３００に通信接続して、管理サーバ３００から上記設定情報を取得して、この設定情報に従った処理を洗濯物に行うことができるようになっている。また、図示しないが、管理サーバ３００と無線アクセスポイント２００との間には、ブロードバンドルータが設置されている。
【００４２】
図２は上記ドラム式洗濯乾燥機を前側の斜め上方から見た概略斜視図を示している。
【００４３】
上記ドラム式洗濯乾燥機は、外郭を成す外箱１を備える。この外箱１は、上面パネル１０１と、操作表示部５０と、前面パネル１０３と、後面パネル１０４と、右側面パネル１０５Ａと、左側面パネル１０５Ｂ(図３に示す)と、底台１０６とで構成されている。このような外箱１内において、洗濯乾燥部６０などが設置されている。
【００４４】
また、上記外箱１は、前側に開口部１ａを有している。より詳しくは、開口部１ａは、前面パネル１０３に設けられ、洗濯物(図示せず)が通過する。この前面パネル１０３には扉３が回動可能に取り付けられており、開口部１ａは扉３で開閉される。
【００４５】
上記操作表示部５０は、開口部１ａ上に位置するように前面パネル１０３に取り付けられている。
【００４６】
また、上記操作表示部５０の側方には、洗濯剤を収容可能な洗濯剤ケース１５０が設けられている。ここで、上記洗濯剤とは、洗濯物を洗ったり、すすいだりするときに、水槽２に供給する水に溶け込ます粉末剤または液剤である。上記洗濯剤の具体例としては、洗剤、漂白剤、柔軟剤などがある。
【００４７】
上記オプションの通信アダプタ２０は、外箱１の上部を形成する上面パネル１０１と、水槽２との間に配置されている。より詳しくは、通信アダプタ２０は、上面パネル１０１と水槽２との間の後側に位置するように、支持部材９０によって支持されている。
【００４８】
図３は、上記ドラム式洗濯乾燥機を上方から見た模式図を示している。図３において、図２と同一の構成部には同一参照番号を付している。なお、図３では、上面パネル１０１、水槽２などの図示を省略している。
【００４９】
上記支持部材９０は、後端部が後面パネル１０４の上端部にネジ(図示せず)で固定されていると共に、左側部が左側面パネル１０５Ｂの上端部にネジ(図示せず)で固定されている。このような支持部材９０の凹部に通信アダプタ２０が取り外し可能に嵌め込まれる。すなわち、通信アダプタ２０は外箱１に間接的に着脱可能になっている。また、通信アダプタ２０は上面視において左側かつ後面側に位置する。
【００５０】
図４は、上記ドラム式洗濯乾燥機１００の電源オフ時における操作表示部５０の外観図である。
【００５１】
上記操作表示部５０には、電源入りキー５７１、電源切りキー５７２、スタート一時停止キー５７３、ロック解除キー５７４、第１運転モード（洗う）キー５７５、第２運転モード（洗〜乾）キー５７６、第３運転モード（乾かす）キー５７７、リフレッシュキー５７８、洗いキー５７９、すすぎキー５８０、脱キー５８１、乾燥キー５８２、ふろ水キー５８３、予約キー５８４、音声キー５８５などが設けられている。
【００５２】
また、上記音声キー５８５の電源入りキー５７１の側方には、通信アダプタ２０がインターネット網Ｎに通信接続されているか否かをユーザに示すための通信状態表示部５９１が設けられている。この通信状態表示部５９１には、アンテナと電波をイメージした図形が描かれている。
【００５３】
ユーザが電源入りキー５７１を押すと、ドラム式洗濯乾燥機１００の電源が入り、図５に示すように、スタート一時停止キー５７３の周縁部や、第２運転モードキー５７６などが点灯する。このとき、通信アダプタ２０がインターネット網Ｎに通信接続できれば、通信状態表示部５９１が点灯する。そして、図示しないが、上記洗濯物処理運転を予約するために予約キー１８４を押すと、予約キー１８４の上側の時計の図形が点灯する。また、上記洗濯物処理運転の予約時間は、脱キー５８１や乾燥キー５８２を押すことで変更可能であり、時間表示部５２１に表示される。
【００５４】
また、上記洗濯物処理運転の終了後、操作表示部５０が待機状態になると、図６に示すように、時間表示部５２１の時間表示と、スタート一時停止キー５７３の周縁部の点灯表示と、通信状態表示部５９１の点灯表示とだけを残して、他の表示が消える。なお、時間表示部５２１の時間表示と、スタート一時停止キー５７３の周縁部の点灯表示と、通信状態表示部５９１の点灯表示とは、特定表示の一例である。
【００５５】
上記構成のドラム式洗濯乾燥機１００によれば、通常、第１音声信号出力部１２からの第１音声信号をスピーカ４０に出力するように、第１制御部１１により音声信号切換部３０を切り換えている。
【００５６】
上記ドラム式洗濯乾燥機１００が設定状態または運転状態である場合、管理サーバ３００から発話要求が通信アダプタ２０の通信部２３に送信されると、音声データのダウンロードが開始され、音声データがメモリ２４に記憶される。この音声データの通信アダプタ２０へのダウンロードが終了すると、通信アダプタ２０の第２制御部２１から制御装置１
０の第１制御部１１に発話要求が出力される。
【００５７】
上記制御装置１０の第１制御部１１が通信アダプタ２０の第２制御部２１から発話要求を受けると、通信アダプタ２０へのダウンロードされた音声データの発話を許可してよいか否かを第１制御部１１により判断する。そして、第１制御部１１が上記音声データの発話を許可してよいと判断すると、第１制御部１１から切り換え信号を音声信号切換部３０に出力して、第２音声信号出力部２２からメモリ２４に記憶された音声データに基づく第２音声信号をスピーカ４０に出力するように、音声信号切換部３０を切り換える。
【００５８】
上記制御装置１０の第１制御部１１から通信アダプタ２０の第２制御部２１に対して発話許可を出力することにより、通信アダプタ２０の第２音声信号出力部２２から上記第２音声信号が音声信号切換部３０を介してスピーカ４０に出力される。ここで、例えば第１音声信号出力部１２が第１音声信号を出力している最中に、通信アダプタ２０の第２制御部２１から発話要求があると、第１制御部１１は、第１音声信号が終了してから、通信アダプタ２０の第２制御部２１に対して発話許可を出力する。
【００５９】
上記通信アダプタ２０にダウンロードされた音声データの発話が終了すると、第２制御部２１から発話要求が解除されて、第１音声信号出力部１２からの第１音声信号をスピーカ４０に出力するように、第１制御部１１により音声信号切換部３０を切り換える。
【００６０】
上記第１音声信号出力部１２の１音声信号が音声信号切換部３０を介してスピーカ４０に出力された場合、例えば、「あいさつ」、「前回運転を行ったときの衣類の汚れや洗剤状況」、「乾燥フィルタや排水フィルタのメンテナンス状況」などの音声がスピーカ４０から出力される。
【００６１】
上記第２音声信号出力部２２の第２音声信号が音声信号切換部３０を介してスピーカ４０に出力された場合、例えば「環境情報(気温情報、湿度情報、花粉情報、ＰＭ２．５情
報、黄砂情報)」などの音声がスピーカ４０から出力される。
【００６２】
また、上記ドラム式洗濯乾燥機１００が待機状態である場合、管理サーバ３００から発話要求が通信アダプタ２０の通信部２３に送信されると、音声データのダウンロードが開始され、音声データがメモリ２４に記憶される。この場合、上記音声データの通信アダプタ２０へのダウンロードが終了しても、通信アダプタ２０の第２制御部２１から制御装置１０の第１制御部１１に発話要求は出力されず、制御装置１０および操作表示部５０が通常状態に復帰したときに出力される。
【００６３】
以下、図７〜図１０を用いて、制御装置１０による通信アダプタ２０の常時電源オン処理について説明する。
【００６４】
まず、上記電源入りキー５７１が押されると、通信アダプタ２０の電源がオンになり、ステップＳ１０１で、上記洗濯物処理運転が設定されている状態で、スタート一時停止キー５７３が押されたか否かを判定する。このステップＳ１０１で、スタート一時停止キー５７３が押されていないと判定すると、ステップＳ１１１に進む一方、スタート一時停止キー５７３が押されたと判定すると、次のステップＳ１０２に進む。
【００６５】
次に、ステップＳ１０２で、洗濯物処理運転を開始した後、ステップＳ１０３で、上記洗濯物処理運転が終了したか否かを判定する。このステップＳ１０３は、洗濯物処理運転が終了したと判定されるまで繰り返される。
【００６６】
次に、図８に示すように、ステップＳ１０４で運転終了音をスピーカ４０へ出力させる
ことにより、上記洗濯物処理運転が終了したことをユーザに報知する。
【００６７】
次に、ステップＳ１０５で、インターネット網Ｎからの情報を通信アダプタ２０にダウンロードするためのネットワーク設定が有効になっているか否かを判定する。このステップＳ１０５で、上記ネットワーク設定が有効になっていないと判定すると、最後のステップＳ１０６に進む一方、上記ネットワーク設定が有効になっていると判定すると、図９に示すステップＳ１２１に進む。
【００６８】
最後に、図８に示すように、ドラム式洗濯乾燥機１００の電源が切れる。これにより、ドラム式洗濯乾燥機１００の各部への電源供給が停止する。すなわち、ドラム式洗濯乾燥機１００において電源が供給されている部分が無くなる。
【００６９】
一方、上記ステップＳ１０１からステップＳ１１１に進んだ場合、図７に示すように、操作表示部５０への操作が行われていない状態(以下「無操作状態」という)が所定時間以上継続しているか否かが判定される。このステップＳ１１１で、上記無操作状態が所定時間以上継続していないと判定されると、ステップＳ１０１に戻る一方、上記無操作状態が所定時間以上継続していると判定されると、ステップＳ１０２〜Ｓ１０４を飛ばして、図８に示すステップＳ１０５に進む。
【００７０】
また、上記ステップＳ１０５からステップＳ１２１に進んだ場合、図９に示すように、ドラム式洗濯乾燥機１００の電源が切れるようにするための電源オフ設定が有効であるか否を判定する。このステップＳ１２１で、上記電源オフ設定が有効であると判定されると、図８に示すステップＳ１０６に進む一方、上記電源オフ設定が有効でないと判定されると、図９に示すステップＳ１２２に進む。
【００７１】
次に、ステップＳ１２２で、待機処理部１０ｃによる待機処理が行われる。これにより、制御装置１０および操作表示部５０が待機状態となり、操作表示部５０の表示は図６に示すようになる。この待機状態では、通信アダプタ２０の電源はオフされず、オンのままとなる。また、時間表示部５２１は、待機状態時、現在の時刻を表示する。
【００７２】
次に、ステップＳ１２３で、スタート一時停止キー５７３が押されたか否かを判定する。このステップＳ１２３は、スタート一時停止キー５７３が押されたと判定されるまで繰り返される。
【００７３】
次に、ステップＳ１２４で、復帰処理部１０ｅによる復帰処理が行われる。これにより、制御装置１０および操作表示部５０が通常状態に復帰し、操作表示部５０の表示は図５に示すようになる。
【００７４】
このように、ユーザが、予め、上記ネットワーク設定を有効すると共に、上記電源オフ設定を無効にしていれば、洗濯物処理運転が終了しても、通信アダプタ２０の電源はオフされずにオンのままとなる。これにより、洗濯物処理運転の終了後、管理サーバ３００に保存されている情報を通信アダプタ２０にダウンロードできる。その結果、ユーザは、洗濯物処理運転の終了後、上記情報のダウンロードのためだけに電源入りキー５７１を押さずに済む。したがって、上記ドラム式洗濯乾燥機は洗濯物処理運転後における不便を解消できる。
【００７５】
また、上記制御装置１０および操作表示部５０が待機状態になっている間に、通信アダプタ２０に例えば新しい音声データをダウンロードすることができるので、制御装置１０および操作表示部５０が通常状態に復帰すると、その新しい音声データを即座に発話できる。したがって、新しい音声データが天気に関するものであれば、ユーザは天気を考慮し
て洗濯物処理運転を適切に設定できる。
【００７６】
また、上記洗濯物処理運転が終了しても、通信アダプタ２０の電源のオンが維持されるので、洗濯物処理運転の終了の直前に通信アダプタ２０への情報のダウンロードが始まっても、このダウンロードが中断されるのを防ぐことができる。
【００７７】
また、上記洗濯物処理運転が終了しても、通信アダプタ２０の電源のオンが維持されるので、洗濯物の処理にかかった時間、水量、電気量などの情報を管理サーバ３００に迅速にアップロードすることができる。
【００７８】
また、上記洗濯物処理運転が終了しても、通信アダプタ２０の電源のオンが維持されるので、乾燥フィルタ、排水フィルタなどのメンテナンスに関する情報を管理サーバ３００に迅速にアップロードすることができる。したがって、管理サーバ３００は、メンテナンスに関する情報をユーザのスマートフォン４００へ速やかに送ることができる。その結果、乾燥フィルタが目詰まりしているなどの非正常な状態で、次の洗濯物処理運転が行われる可能性を下げることができる。
【００７９】
また、ユーザが、予め、上記電源オフ設定を有効にしていれば、上記ネットワーク設定が有効になっていても、ドラム式洗濯乾燥機１００の各部への電源供給が停止するので、使い方の幅を広げることができる。
【００８０】
また、上記制御装置１０および操作表示部５０が待機状態なった場合、操作表示部５０の表示は、図６に示すように、時間表示部５２１の時刻表示と、スタート一時停止キー５７３の周縁部の点灯表示と、通信状態表示部５９１の点灯表示とだけになる。すなわち、操作表示部５０の待機情報の表示は、通常状態の異なるようになる。したがって、ユーザは、操作表示部５０を見れば、操作表示部５０が待機状態なっていることを容易に把握することができる。
【００８１】
また、上記制御装置１０および操作表示部５０が待機状態なっている場合、操作表示部５０の表示は一部に限定されるので、省エネ効果が得られる。
【００８２】
また、上記制御装置１０および操作表示部５０が待機状態なっている場合、スタート一時停止キー５７３を押すと、制御装置１０および操作表示部５０を通常状態に復帰させて、図５に示すように、操作表示部５０が第２運転モードキー５７６などを点灯表示する。
【００８３】
また、上記制御装置１０および操作表示部５０が待機状態なっている場合、操作表示部５０の表示は、時間表示部５２１の時刻表示と、スタート一時停止キー５７３の周縁部の点灯表示と、通信状態表示部５９１の点灯表示とだけだが、これらの中で押せる可能性があるのはスタート一時停止キー５７３だけだから、スタート一時停止キー５７３が待機状態の解除キーであることをユーザに認識させ易くなる。したがって、ドラム式洗濯乾燥機１００の使い勝手は良好である。
【００８４】
また、上記制御装置１０および操作表示部５０が待機状態なっている場合、スタート一時停止キー５７３以外のキーを押しても、このキーの操作は無効となるので、制御装置１０および操作表示部５０の待機状態が不用意に解除されるのを防ぐことができる。
【００８５】
また、上記通信アダプタ２０は、支持部材９０の凹部に通信アダプタ２０が取り外し可能に嵌め込まれているので、故障した場合、容易に交換できる。したがって、ドラム式洗濯乾燥機１００のメンテナンスは、支持部材９０から通信アダプタ２０を取り外せないときに比べて行い易い。
【００８６】
また、上記スピーカ４０は様々な音声を出力することができるので、スピーカ４０による音声報知が単調になるのを防ぐことができる。
【００８７】
上記第１実施形態では、ネットワーク設定判定部１０ａ、通信アダプタ電源管理部１０ｂ、待機処理部１０ｃ、特定操作判定部１０ｄおよび復帰処理部１０ｅは、それぞれ、ソフトウェアで構成されていたが、ネットワーク設定判定部１０ａ、通信アダプタ電源管理部１０ｂ、待機処理部１０ｃ、特定操作判定部１０ｄおよび復帰処理部１０ｅの少なくも１つが、ハードウェアで構成されるようにしてもよい。
【００８８】
上記第１実施形態では、通信アダプタ２０は、外箱１に間接的に着脱可能となるようにしていたが、外箱１に直接的に着脱可能となるようにしてもよい。
【００８９】
上記第１実施形態では、ステップＳ１０５とステップＳ１２２の間にステップＳ１２１を設けていたが、ステップＳ１２１を設けないようにしてもよい。すなわち、ステップＳ１０５で、インターネット網Ｎからの情報を通信アダプタ２０にダウンロードするためのネットワーク設定が有効になっていると判定すると、即座に、待機処理部１０ｃによる待機処理が行われるようにしてもよい。
【００９０】
上記第１実施形態では、スタート一時停止キー５７３を押すことにより、制御装置１０および操作表示部５０が待機状態から通常状態に復帰していたが、例えば、スタート一時停止キー５７３以外の所定キーを押したり、所定の２つのキーを２重押ししたり、所定キーを長押ししたりすることにより、制御装置１０および操作表示部５０が待機状態から通常状態に復帰するようにしてもよい。
【００９１】
上記第１実施形態において、制御装置１０および操作表示部５０が待機状態中に、例えば、電源切りキー５７２を押すことにより、ドラム式洗濯乾燥機１００の電源が切れるようにしてもよい。
【００９２】
〔第２実施形態〕
図１０はこの発明の第２実施形態のドラム式洗濯乾燥機２１００を備える洗濯システムの概略構成図を示している。なお、図１０では、上記第１実施形態の構成部と同一構成部は、上記第１実施形態の構成部の参照番号と同一参照番号を付している。
【００９３】
上記ドラム式洗濯乾燥機２１００は、上記第１実施形態の制御装置１０とは異なる制御装置２０１０を備えている。この制御装置２０１０は、ソフトウェアで構成された制御装置用リセット部２０１０ｆを有する。
【００９４】
上記制御装置用リセット部２０１０ｆは、インターネット網Ｎからの情報を通信アダプタ２０にダウンロードするためのネットワーク設定が有効になっていると判定された場合、制御装置２０１０をソフトウェアリセットする。図９のフローチャートを用いてより詳しく説明すると、制御装置２０１０のソフトウェアリセットはステップＳ１２１とステップＳ１２２の間で行われる。その後、上記第１実施形態同様に、ステップＳ１２２〜Ｓ１２４が行われる。
【００９５】
上記構成のドラム式洗濯乾燥機２１００によれば、制御装置２０１０および操作表示部５０が通常状態に復帰する前に、制御装置用リセット部１０ｆが制御装置２０１０をソフトウェアリセットするので、ユーザが洗濯物処理運転を設定する前の状態に制御装置２０１０を戻すことができる。したがって、制御装置２０１０が次の洗濯物処理運転で誤動作する可能性を下げることができる。
【００９６】
もし、上記制御装置２０１０および操作表示部５０が通常状態に復帰した後、制御装置２０１０のソフトウェアリセットが行われるようにしたなら、ユーザは制御装置２０１０のソフトウェアリセットが終了するまで待って、所望の洗濯物処理運転の設定を行うことになる。このような待ち時間を無くせる効果も第２実施形態にある。
【００９７】
上記第２実施形態では、制御装置２０１０のソフトウェアリセットは、ステップＳ１２１とステップＳ１２２の間で行われていたが、ステップＳ１２２後であっても、ステップＳ１２３からステップＳ１０１に戻る前であれば、ステップＳ１０１後に制御装置２０１０の誤動作防止の効果を奏するので、行われてもよい。
【００９８】
〔第３実施形態〕
図１１はこの発明の第３実施形態のドラム式洗濯乾燥機３１００を備える洗濯システムの概略構成図を示している。なお、図１１では、上記第２実施形態の構成部と同一構成部は、上記第２実施形態の構成部の参照番号と同一参照番号を付している。
【００９９】
上記ドラム式洗濯乾燥機３１００は、上記第１実施形態の制御装置１０とは異なる制御装置３０１０を備えている。この制御装置３０１０は、ソフトウェアで構成された通信アダプタ用リセット部３０１０ｇを有する。
【０１００】
上記通信アダプタ用リセット部３０１０ｇは、インターネット網Ｎからの情報を通信アダプタ２０にダウンロードするためのネットワーク設定が有効になっていると判定された場合、通信アダプタ２０をハードウェアリセットする。図９のフローチャートを用いてより詳しく説明すると、通信アダプタ２０のハードウェアリセットはステップＳ１２１とステップＳ１２２の間で行われる。その後、上記第１実施形態同様に、ステップＳ１２２〜Ｓ１２４が行われる。
【０１０１】
上記構成のドラム式洗濯乾燥機３１００によれば、ステップＳ１２１とステップＳ１２２の間で通信アダプタ２０がハードウェアリセットされるので、ステップＳ１２２の後、通信アダプタ２０への情報のダウンロードがエラーになる可能性を下げることができる。
【０１０２】
もし、上記制御装置１０および操作表示部５０が通常状態に復帰した後、通信アダプタ２０のハードウェアリセットが行われるようにしたなら、ユーザは制御装置１０のソフトウェアリセットが終了するまで待って、所望の洗濯物処理運転の設定を行うことになる。このような待ち時間(約３０秒)を無くせる効果も第３実施形態にある。
【０１０３】
上記第３実施形態では、通信アダプタ２０はハードウェアリセットされていたが、ソフトウェアリセットされるようにしてもよい。
【０１０４】
上記第３実施形態では、通信アダプタ２０のハードウェアリセットは、ステップＳ１２１とステップＳ１２２の間で行われていたが、ステップＳ１２２後であっても、ステップＳ１２３からステップＳ１０１に戻る前であれば、ステップＳ１０１後にダウンロードエラー防止の効果を奏するので、行われてもよい。
【０１０５】
〔第４実施形態〕
この発明の第４実施形態では、図８のステップＳ１０５の判定の換わりに、通信アダプタ２０が支持部材９０に物理的に接続されているか否かを判定する。このとき、通信アダプタ２０が支持部材９０に物理的に接続されていないと判定されたとき、ステップＳ１０６に進む一方、通信アダプタ２０が支持部材９０に物理的に接続されていると判定されたとき、ステップＳ１２１に進む。
【０１０６】
上記通信アダプタ２０の物理的な接続の判定方法としては、制御装置１０から通信アダプタ２０にリクエストコマンドを送信する方法がある。より詳しくは、上記方法では、制御装置１０から通信アダプタ２０にリクエストコマンドを送信して、通信アダプタ２０からレスポンスコマンドが制御装置１０に返れば、通信アダプタ２０が支持部材９０に物理的に接続されていると判定する。一方、通信アダプタ２０からレスポンスコマンドが制御装置１０に返らなければ、通信アダプタ２０が支持部材９０に物理的に接続されていると判定する。
【０１０７】
このように、図８のステップＳ１０５の判定の換わりに、通信アダプタ２０が支持部材９０に物理的に接続されているか否かを判定することにより、上記第１実施形態と同様の効果が得られる。
【０１０８】
上記第１〜第４実施形態では、乾燥機能を有するドラム式洗濯乾燥機１００,２１００
，３１００について説明したが、この発明の洗濯機はドラム式洗濯乾燥機に限られず、縦型洗濯乾燥機や乾燥機能を有しないドラム式洗濯機,縦型洗濯機などにこの発明を適用し
てもよい。
【０１０９】
この発明の具体的な実施の形態について説明したが、この発明は上記第１〜第４実施形態に限定されるものではなく、この発明の範囲内で種々変更して実施することができる。例えば、上記第１〜第４実施形態で記載した内容を適宜組み合わせたものを、この発明の一実施形態としてもよい。
【０１１０】
この発明および実施形態をまとめると、次のようになる。
【０１１１】
この発明の洗濯機１００，２１００，３１００は、
上記課題を解決するため、この発明の洗濯機１００，２１００，３１００は、
外箱１と、
上記外箱１内に設けられ、洗濯物を処理する洗濯物処理部６０と、
上記洗濯物の処理を指示するための操作部５０と、
上記操作部５０への操作に応じた表示を行う表示部５０と、
通信アダプタ２０と、
制御装置１０，２０１０，３０１０と
を備え、
上記制御装置１０，２０１０，３０１０は、
上記洗濯物の処理が終了した後、通信ネットワークＮからの情報を上記通信アダプタ２０にダウンロードするためのネットワーク設定が有効になっているか否かを判定するネットワーク設定判定部１０ａと、
上記ネットワーク設定が有効になっていると判定された場合、上記通信アダプタ２０の電源をオンにする通信アダプタ電源管理部１０ｂと
を有することを特徴としている。
【０１１２】
上記構成によれば、上記ネットワーク設定が有効になっていると判定された場合、上記通信アダプタ電源管理部１０ｂが通信アダプタ２０の電源をオンにする。これにより、上記洗濯物の処理の終了後、通信ネットワークＮからの情報を通信アダプタ２０にダウンロードすることができるので、ユーザは通信ネットワークＮからの情報のダウンロードするためだけに電源を入れ直さなくてよくなる。したがって、上記洗濯機１００，２１００，３１００は洗濯物の処理の終了後における不便を解消できる。
【０１１３】
また、仮に、上記通信ネットワークＮから通信アダプタ２０に情報をダウンロードして
いる最中に、洗濯物の処理が終了したとしても、通信アダプタ電源管理部１０ｂによってダウンロードが中断されるのを防ぐことができる。
【０１１４】
なお、上記通信アダプタ電源管理部１０ｂは、ネットワーク設定が有効になっていると判定された場合、洗濯物の処理の終了のときに通信アダプタ２０の電源がオンになっていれば、通信アダプタ２０の電源のオンを継続するものであってもよい。
【０１１５】
あるいは、上記通信アダプタ電源管理部１０ｂは、ネットワーク設定が有効になっていると判定された場合、洗濯物の処理の終了のときに通信アダプタ２０の電源がオフになっていれば、通信アダプタ２０の電源をオフからオンに切り替えるものであってもよい。
【０１１６】
一実施形態の洗濯機１００，２１００，３１００では、
上記制御装置１０，２０１０，３０１０は、上記ネットワーク設定が有効になっていると判定された後、上記制御装置１０，２０１０，３０１０および表示部５０を待機状態にして、上記表示部５０の特定表示以外の表示を消す待機処理部１０ｃを有する。
【０１１７】
ここで、上記制御装置１０，２０１０，３０１０および表示部５０を待機状態するとは、上記制御装置１０，２０１０，３０１０および表示部５０の所定回路だけに電源を供給することを意味する。
【０１１８】
上記実施形態によれば、上記待機状態では、表示部５０は特定表示だけを表示するので、ユーザは、制御装置１０，２０１０，３０１０および表示部５０が待機状態になったことを目視で容易に確認できる。
【０１１９】
一実施形態の洗濯機１００，２１００，３１００では、
上記表示部５０が待機状態になった後、上記操作部５０に特定操作が行われたか否かを判定する特定操作判定部１０ｄと、
上記特定操作が行われたと判定された場合、上記制御装置１０，２０１０，３０１０および表示部５０を通常状態に復帰させて、上記表示部５０が上記特定表示以外の表示を行う復帰処理部１０ｅと
を有する。
【０１２０】
ここで、上記制御装置１０，２０１０，３０１０および表示部５０を通常状態に復帰させるとは、待機状態時に電源が供給されていないかった所定回路に対して電源の供給を再開することを意味する。
【０１２１】
上記実施形態によれば、上記操作部５０に特定操作が行われたと特定操作判定部１０ｄによって判定された場合、復帰処理部１０ｅが、制御装置１０，２０１０，３０１０および表示部５０を通常状態に復帰させて、表示部５０が上記特定表示以外の表示を行うので、ユーザは制御装置１０，２０１０，３０１０および表示部５０が通常状態に復帰したことを目視で容易に確認することができる。
【０１２２】
一実施形態の洗濯機１００，２１００，３１００では、
上記制御装置１０，２０１０，３０１０は、上記ネットワーク設定が有効になっていると判定された場合、上記制御装置１０，２０１０，３０１０をソフトウェアリセットする制御装置用リセット部２０１０ｆを有する。
【０１２３】
上記実施形態によれば、上記ネットワーク設定が有効になっていると判定された場合、制御装置用リセット部２０１０ｆが制御装置１０，２０１０，３０１０をソフトウェアリセットするので、洗濯物の処理を指示するための操作が操作部５０に行われる前の状態に
制御装置１０，２０１０，３０１０を戻すことができる。したがって、次の洗濯物の処理が行われるときに制御装置１０，２０１０，３０１０が誤動作するのを防ぐことができる。
【０１２４】
一実施形態の洗濯機１００，２１００，３１００では、
上記制御装置１０，２０１０，３０１０は、上記ネットワーク設定が有効になっていると判定された場合、上記通信アダプタ２０をハードウェアリセットする通信アダプタ用リセット部３０１０ｇを有する。
【０１２５】
上記実施形態によれば、上記ネットワーク設定が有効になっていると判定された場合、通信アダプタ用リセット部３０１０ｇが通信アダプタ２０をハードウェアリセットするので、洗濯物の処理の終了後、通信アダプタ２０への情報のダウンロードがエラーになる可能性を低減できる。
【０１２６】
一実施形態の洗濯機１００，２１００，３１００では、
上記通信アダプタ２０は上記外箱１に直接的または間接的に着脱可能である。
【０１２７】
上記実施形態によれば、上記通信アダプタ２０が故障した場合、通信アダプタ２０は容易に交換できる。したがって、上記洗濯機１００，２１００，３１００のメンテナンス性が向上する。
【０１２８】
一実施形態の洗濯機１００，２１００，３１００は、
上記通信ネットワークＮからの上記情報に基づいて、音声を出力する音声出力部４０を備える。
【０１２９】
上記実施形態によれば、上記音声出力部４０は様々な音声を出力することができるので、音声出力部４０による音声報知が単調になるのを防ぐことができる。
【符号の説明】
【０１３０】
１  外箱
１ａ  開口部
２  水槽
３  扉
１０,２０１０,３０１０  制御装置
１０ａ  ネットワーク設定判定部
１０ｂ  通信アダプタ電源管理部
１０ｃ  待機処理部
１０ｄ  特定操作判定部
１０ｅ  復帰処理部
１１  第１制御部
１２  第１音声信号出力部
１３  メモリ
２０  通信アダプタ
２１  第２制御部
２２  第２音声信号出力部
２３  通信部
２４  メモリ
３０  音声信号切換部
４０  スピーカ
５０  操作表示部
６０  洗濯乾燥部（洗濯処理部）
９０  支持部材
１００,２１００,３１００  ドラム式洗濯乾燥機
１０１  上面パネル
１０３  前面パネル
１０４  後面パネル
１０５Ａ  右側面パネル
１０５Ｂ  左側面パネル
１０６  底台
１５０  洗濯剤ケース
２００  無線アクセスポイント
３００  管理サーバ
４００  スマートフォン
２０１０ｆ  制御装置用リセット部
３０１０ｇ  通信アダプタ用リセット部
Ｎ  インターネット網
【図１】
2019010538.tif 000003
【図２】
2019010538.tif 000004
【図３】
2019010538.tif 000005
【図４】
2019010538.tif 000006
【図５】
2019010538.tif 000007
【図６】
2019010538.tif 000008
【図７】
2019010538.tif 000009
【図８】
2019010538.tif 000010
【図９】
2019010538.tif 000011
【図１０】
2019010538.tif 000012
【図１１】
2019010538.tif 000013
【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
外箱と、上記外箱内に設けられた、洗濯物を処理する洗濯物処理部と、通信アダプタと、制御装置とを備え、
上記制御装置は、上記通信アダプタが通信ネットワークに通信接続されているか否かを判定し、通信接続されていると判定した場合は、上記洗濯物処理部による洗濯物処理運転が終了した後に、洗濯物処理運転および当該運転の設定を行えなくする待機状態とするとともに、上記通信アダプタの電源をオンする、または電源のオンを維持することを特徴とする洗濯機。
【請求項２】
請求項１に記載の洗濯機において、
上記外箱内に設けられた表示部を備え、
上記制御装置は、上記洗濯物処理部による洗濯物処理運転が終了した後に、上記表示部の特定表示以外の表示を消すことを特徴とする洗濯機。
【請求項３】
請求項２に記載の洗濯機において、
上記外箱内に設けられた操作部を備え、
上記制御装置は、上記操作部に特定操作が行われたと判定された場合、上記制御装置および表示部を通常状態に復帰させて、上記表示部が上記特定表示以外の表示を行うことを特徴とする洗濯機。
【手続補正２】
【補正対象書類名】明細書
【補正対象項目名】０００７
【補正方法】変更
【補正の内容】
【０００７】
上記課題を解決するため、この発明の洗濯機は、
外箱と、上記外箱内に設けられた、洗濯物を処理する洗濯物処理部と、通信アダプタと、制御装置とを備え、
上記制御装置は、上記通信アダプタが通信ネットワークに通信接続されているか否かを判定し、通信接続されていると判定した場合は、上記洗濯物処理部による洗濯物処理運転が終了した後に、洗濯物処理運転および当該運転の設定を行えなくする待機状態とするとともに、上記通信アダプタの電源をオンする、または電源のオンを維持することを特徴とする洗濯機。
【手続補正３】
【補正対象書類名】明細書
【補正対象項目名】０００８
【補正方法】削除
【補正の内容】
【手続補正４】
【補正対象書類名】明細書
【補正対象項目名】００１７
【補正方法】変更
【補正の内容】
【００１７】
この発明の洗濯機は、上記通信アダプタが通信ネットワークに通信接続されているか否かによって通信アダプタの電源オン状態を制御することにより、洗濯物の処理の終了後における不便を解消できる。